(57)【要約】【課題】コンテナターミナルの搬入ゲートにおけるコンテナダメージチェックに要する時間を短縮する。【解決手段】コンテナターミナル４外にコンテナダメージチェック専用施設２を設け、そこでのコンテナダメージチェックの結果等の情報を記録媒体１に記録してコンテナ５に取り付け、搬入ゲート３において当該情報を読み取る。【選択図】図１
2007261751.tif 000002
【特許請求の範囲】
【請求項１】
コンテナターミナルに搬入されるコンテナの損傷状態を確認するコンテナダメージチェック方法であって、
前記コンテナターミナル外において、前記コンテナを識別する第１情報と前記コンテナの損傷状態を表す第２情報とを記録手段に記録して前記コンテナに取り付け、
前記コンテナターミナル内において、前記記録手段に記録された前記第１情報と前記第２情報とを読み取るコンテナダメージチェック方法。
【請求項２】
前記コンテナターミナル外において、前記第１情報と前記第２情報とともに前記コンテナの損傷状態の確認時刻も前記記録手段に記録する請求項１に記載のコンテナダメージチェック方法。
【請求項３】
コンテナターミナルに搬入されるコンテナの損傷状態を確認するコンテナダメージチェックシステムであって、
前記コンテナに取り付け可能であって読み書き可能な記録媒体と、
前記コンテナターミナル外に備えられた前記記録媒体の書込装置と、
前記コンテナターミナル内の搬入ゲートに備えられた前記記録媒体の読取装置とからなるコンテナダメージチェックシステム。
【請求項４】
前記記録媒体は、無線により外部から非接触で情報を読み書き可能な無線ＩＣタグである請求項３に記載のコンテナダメージチェックシステム。
【発明の詳細な説明】
【技術分野】
【０００１】
本発明は、コンテナターミナルに搬入されるコンテナの損傷（コンテナダメージ）のチェック方法及びチェックシステムに関し、詳しくは読み書き可能な記録媒体を利用したコンテナダメージチェック方法及びチェックシステムに関する。
【背景技術】
【０００２】
コンテナターミナルの入口には、コンテナヤードに搬入されるコンテナの確認・検査を行う搬入ゲートが設置されている。この搬入ゲートには複数のレーンが設けられており、各レーンごとにコンテナはトレーラーに積載された状態で種々の確認・検査を受ける。
【０００３】
この確認・検査の項目の１つに、コンテナ外観の損傷の確認（コンテナダメージチェック）がある。これは各レーンごとに配置された複数のゲート要員がコンテナの外観を五感で検査することによりコンテナダメージの有無及び程度を確認するものである。コンテナダメージチェックの結果、クレーンよるコンテナ船への積み込み等には適さないと判断されたコンテナは必要な補修を受けることが義務づけられる。
【０００４】
しかし、上記のコンテナダメージチェックにおいては、一台のコンテナ当たり約５分以上の作業時間を要するため、搬入ゲート前で順番を待つトレーラーによる交通渋滞が発生しやすく、近隣の道路交通の妨げになるという問題があった。 
【発明の開示】
【発明が解決しようとする課題】
【０００５】
本発明は、このような問題点に鑑みてなされたものであり、効率的に短時間でダメージチェックを行うことができるコンテナダメージチェック方法及びチェックシステムを提供することを目的とするものである。
【課題を解決するための手段】
【０００６】
上記の目的を達成するため、請求項１に記載の本発明は、コンテナターミナルに搬入されるコンテナの損傷状態を確認するコンテナダメージチェック方法であって、前記コンテナターミナル外において、前記コンテナを識別する第１情報と前記コンテナの損傷状態を表す第２情報とを記録手段に記録して前記コンテナに取り付け、前記コンテナターミナル内において、前記記録手段に記録された前記第１情報と前記第２情報とを読み取るコンテナダメージチェック方法である。
【０００７】
請求項２に記載の本発明は、前記コンテナターミナル外において、前記第１情報と前記第２情報とともに前記コンテナの損傷状態の確認時刻も前記記録手段に記録する請求項１に記載のコンテナダメージチェック方法である。
【０００８】
請求項３に記載の本発明は、コンテナターミナルに搬入されるコンテナの損傷状態を確認するコンテナダメージチェックシステムであって、前記コンテナに取り付け可能であって読み書き可能な記録媒体と、前記コンテナターミナル外に備えられた前記記録媒体の書込装置と、前記コンテナターミナル内の搬入ゲートに備えられた前記記録媒体の読取装置とからなるコンテナダメージチェックシステムである。
【０００９】
請求項４に記載の本発明は、前記記録媒体は、無線により外部から非接触で情報を読み書き可能な無線ＩＣタグである請求項３に記載のコンテナダメージチェックシステムである。
【発明の効果】
【００１０】
本発明によれば、コンテナターミナル外の専用施設においてコンテナダメージチェックを実施して、その結果を記録媒体に記録して、コンテナターミナル内の搬入ゲートにおいて読み取るようにしたため、搬入ゲートにおけるコンテナダメージチェックを短時間で効率的に行うことができる。
【発明を実施するための最良の形態】
【００１１】
以下に、本発明の実施の形態について、図面を参照して説明する。
本発明のコンテナダメージチェック方法を実施するためのコンテナダメージチェックシステムを図１に示す。図１はコンテナダメージチェックシステムの構成を示す斜視図である。
【００１２】
コンテナダメージチェックシステムは、読み書き可能な記録媒体である無線ＩＣタグ１、コンテナダメージチェック専用施設（以下、「専用施設」という。）２、及び搬入ゲート３から構成される。
【００１３】
無線ＩＣタグ１は外部端末によりワイヤレスで情報を読み書きすることができるとともに、書き込まれた情報を電波により外部に通信する機能を有している。
【００１４】
専用施設２はコンテナターミナル４外に位置し、コンテナ５を積載したトレーラー６を収納する複数のレーン７を備えている。また、専用施設２内には、図２の断面図に示すように、無線ＩＣタグ１にワイヤレスで情報を書き込むことができる書込装置８が設置されている。
【００１５】
搬入ゲート３は従来からのものを使用するが、図３の断面図に示すように、無線ＩＣタグ１からワイヤレスで情報を読み取ることができる読取装置９が新たに設置されている。
【００１６】
このような構成を有するコンテナダメージチェックシステムの作用を以下に示す。
まず、コンテナ５を積載したトレーラー６のみを、搬入ゲート３に到着する前に専用施設２のレーン７に導いて停車させる。そして、書込装置８の受信範囲内のコンテナ５表面に、無線ＩＣタグ１を装着する。このとき第三者により無線ＩＣタグ１を容易に取り外されることがないように、例えばナンバー式の錠前などを用いて、コンテナ５表面の固定物に装着することが望ましい。
【００１７】
次に、複数の作業員によりコンテナダメージチェックを実施する。このコンテナダメージチェックの対象としては、例えばコンテナ５外壁の損傷、水漏れ及び異臭などがある。コンテナダメージチェック後に、書込装置８を用いて無線ＩＣタグ１に情報をワイヤレスで書き込む。このとき記録する情報の内容としては、コンテナ５を識別可能な番号及びコンテナダメージチェックの結果である必要があるため、例えば図３に示すように、「コンテナ番号」及び「損傷状態」（例えば、損傷種類や損傷程度など）とすることができる。また、それらに付帯する情報として、コンテナダメージチェックを行った時刻を「確認時刻」として書き込んでもよい。
【００１８】
そして、専用施設２から搬入ゲート３に到着したトレーラー６は、レーン１０において読取装置５を用いて無線ＩＣタグ１に書き込まれた情報が読み取られた後に、複数のゲート要員により種々の検査・確認作業が行われる。このときコンテナダメージチェックについては、事前に読み取られた情報を参考にするため短時間で効率的に実施することができる。
【００１９】
具体的には、ゲート要員はコンテナ番号を照合した後に、コンテナの損傷箇所を再確認する。
【００２０】
また、書き込まれた情報に「確認時刻」が含まれている場合には、読取装置９により情報を読み取った時刻との差が所定の期間（例えば１０分など）よりも短い場合には、移動中に事故等がなかったものと判断して、搬入ゲート３におけるコンテナダメージチェック自体を省略することもできるため、更に待ち時間の短縮を図ることができる。
【００２１】
なお、無線ＩＣタグ１は、搬入ゲート３における確認・検査後に取り外して専用施設２に送り返し、別のコンテナ５に取り付けて再利用する。
【００２２】
また、無線ＩＣタグ１の「コンテナ番号」情報をもとにして、ゲート受付処理自体を行うことも可能である。すなわち、一般的には搬入ゲート３におけるコンテナ５のゲート受付は、トレーラー６の運転手が持参する搬入票の内容を受付端末に手入力することにより行われるが、無線ＩＣタグ１の「コンテナ番号」情報を読み取ることにより、手入力の必要なく搬入コンテナ５の番号を認識することができる。ここで、搬入されるコンテナ５は当該コンテナターミナル４から以前に搬出されたものであることが多いので、「コンテナ番号」を認識することにより、ゲート受付に必要なコンテナサイズやタイプなどの基本情報から輸出に用いられるコンテナ船１２の情報までを検索することができ、搬入ゲート３におけるゲート受付を自動化することが可能となる。
【図面の簡単な説明】
【００２３】
【図１】本発明に係るコンテナダメージチェックシステムの構成を示す斜視図である。
【図２】トレーラーが停車した際における専用施設の断面図である。
【図３】トレーラーが停車した際における搬入ゲートの断面図である。
【図４】記憶媒体に記録される情報の一例である。
【符号の説明】
【００２４】
１  無線ＩＣタグ    ２  専用施設  ３  搬入ゲート
４  コンテナターミナル     ５  コンテナ  ６  トレーラー
７  専用施設のレーン８  書込装置  ９  読取装置
１０  搬入ゲートのレーン   １１  コンテナヤード １２  コンテナ船
【図１】
2007261751.tif 000003
【図２】
2007261751.tif 000004
【図３】
2007261751.tif 000005
【図４】
2007261751.tif 000006